(57)【要約】【課題】この発明は、セメント類の吹き付けを必要とせず、斜面内部に水の移動を遮断する層を残すことがなく、簡易な設備でしかも資材を有効に再利用しながら施工できる法面処理工法を提供することを目的とする。【解決手段】上記の目的を解決するために、この発明の法面処理工法は、斜面１を所定幅づつ切り出し表れた法面２に受圧板３を設置する工程を上部より段階的に繰り返して行って法面全体に受圧板３を設置し、その法面２の下部より所定の高さずつ設置された受圧板３を撤去していくことを特徴とするものである。【選択図】図１
2006063729.tif 000002
【特許請求の範囲】
【請求項１】
斜面を所定の高さ（法長）ずつ切り出して表れた法面に受圧板を設置する工程を上部より段階的に繰り返して行って法面全体に受圧板を設置し、その法面の下部より所定の高さずつ設置された受圧板を撤去していくことを特徴とする法面処理工法。
【請求項２】
前記受圧板を法面に対して打ち込こまれセメントで固定されたボルトに取り付けることによって、受圧板を法面に設置する請求項１に記載の法面処理工法。
【発明の詳細な説明】
【技術分野】
【０００１】
本発明は、山の斜面に道路を建設する場合等に行われる法面処理の技術に関するものである。
【背景技術】
【０００２】
山の斜面に道路を建設したり、土砂崩れを起こした斜面に保護壁を設けたりする場合、一旦斜面を切り開いて表れた法面について仮設の保護壁を設け、最終的な保護壁が建設されるまでの間に法面が崩れることを防止する必要がある。そこで、法面処理の方法として、従来は法面にセメント類を吹き付けて強化することが行われていた。その後、例えば、セメント類を吹き付けて強化した法面前面にコンクリート等により保護壁を築いたり、法面前面に土を盛りさらにその盛土の上にネットやコンクリートを敷設して保護壁を完成させる。
【０００３】
この場合、セメントの吹き付けによってできた層は壁面の内部に閉じ込められる。そこで、このセメント層によって地中の水の移動が遮断されないように、特許文献１などには透水コンクリートを吹き付けることが記載されている。
【特許文献１】特開２００４−１００４０３公報
【発明の開示】
【発明が解決しようとする課題】
【０００４】
従来の技術においては多くの場合、法面へのセメントの吹き付けによって形成されたセメント層が最終的には斜面の内部に取り残される。このセメント層によって地中から斜面外部への水の自然な沁み出しが遮断される。しだがって、この層に強い土圧が発生する。また、セメント層に沿った水路が形成されることもあり、セメント層に沿った地滑りが発生しやすくなるという問題がある。
【０００５】
そこで、特許文献１に記載の発明のように、透水性を有するセメント層を形成するように吹き付け処理を行うことが考えられる。しかし、完全に内部の土砂と同じ透水性を実現することは困難である。また、セメントの吹き付けを行うためには、吹き付けのための設備を斜面に持ち込まなければならない。そのために、施工のための設備が大規模化し、操作するための人員も増える。また、吹き付けを行う前の不安定な斜面に持ち込む設備はなるべく少ないことが好ましい。
【０００６】
この発明は、セメント吹き付けを必要とせず、斜面内部に水の移動を遮断する層を残すことがなく、簡易な設備でしかも資材を有効に再利用しながら施工できる法面処理工法を提供することを目的とする。
【課題を解決するための手段】
【０００７】
上記の目的を解決するために、この発明の法面処理工法は、斜面を所定の高さ（法長）ずつ切り出して表れた法面に受圧板を設置する工程を上部より段階的に繰り返して行って法面全体に受圧板を設置し、その法面の下部より所定の高さずつ設置された受圧板を撤去していくことを特徴とするものである。前記受圧板を法面に対して打ち込こまれセメントで固定されたボルトに取り付けることによって、受圧板を法面に設置するようにすることができる。
【発明の効果】
【０００８】
この発明の法面処理工法は、セメント層を斜面の内部に残さないので、地滑りが発生しにくく安定した保護壁を建設することができるという効果を有する。セメント吹き付けのための設備を必要としないので、簡易な設備で施工できる。また、資材を再利用できるという効果も有する。
【発明を実施するための最良の形態】
【０００９】
この発明を実施するための最良の形態について図面に基づいて説明する。図１は、この発明の法面処理工法の概要を示す説明図である。この法面処理工法は斜面に保護壁を仮設する必要がある場合に適用される。たとえば、山の斜面に道路を建設したり、その他の建造物を設ける場合、あるいはダムの側壁を建設する場合など、広く適用できる。ここでは、斜面に道路を建設する場合の形態を例に説明する。
【００１０】
道路の上部側の側壁となる斜面１において、図１（ａ）に示すように上部から斜面１の土砂を切り出していく。ここで、法面２が崩れないように、斜面に沿って所定の高さ（法長）まで切り出したら、法面の強化を行う。
【００１１】
斜面１の切り出しによって所定の幅の法面２が現れるが、この現れた法面上に受圧板３を取り付けていく。図２は受圧板３の例を示す平面図である。受圧板３は、法面の土砂の圧力を受けることができる強度を有するもので、その形状、面積は、施工場所の土質や傾斜などにあわせて適宜選択すればよい。ここでは、図２（ａ）のように正方形の格子状の板を使用している。これ以外にも、図２（ｂ）のように多数の円孔を有するものや、図２（ｃ）のように多角形状の鋼板をＨ鋼などで補強したものなどが使用でき、素材も、鋼板・木板・プラスティックなどさまざまなものを使用できる。
【００１２】
図３は、受圧板３の取り付け方法を示す断面図である。まず、地中にボルト５を打ち込み、このボルトの周囲にセメントミルクを注入して、アンカーを形成する。ここで、ボルトの上部は法面外部に表れるようにする。受圧板３の中心部には穴４が設けられており、この穴４をボルト５にはめ込み、押さえ板６をあててさらにその上からナット７でしめることによって、受圧板３をボルト５に取り付ける。このようにして、１枚の受圧板３が法面２上に取り付けられる。この作業を繰り返して、表れた法面全体に受圧板３を取り付ける。斜面の土質や傾斜などの諸条件を考慮しながら、法面が安定に保護されるように受圧板３の間隔を設定しながら取りつけていく。
【００１３】
ついで、最初に切り出した法面の全体に受圧板３を取り付けて補強したら、さらにその下の斜面を所定の高さ（法長）幅だけ切り出す。最初の工程と同様に、法面が崩れない範囲内で土砂を切り出し、表れた法面２についても同様に受圧板３を取り付けて補強していく（図１（ｂ））。このように、法面を形成すべき斜面を所定の高さずつに分けて段階的に、土砂の切り出しと受圧板の取付けを繰り返していく。このようにして、斜面全体について、補強された法面を築くことができる（図１（ｃ））。
【００１４】
つぎに、この斜面上に保護壁を施工する手順について説明する。まず、法面２の下部より所定の高さの範囲において受圧板３を取り外していく。受圧板３は、ナット７によってアンカーであるボルト５に取り付けられているので、ナット７と押さえ板６を取り除くことによって容易に法面２から撤去することができる。この際も、受圧板３を撤去した後の法面が崩れることがないよう、所定の幅だけ撤去する。そして、受圧板３が撤去された法面前面にコンクリートおよびブロック等によって保護壁を築いたり、盛土によって保護壁を築く（図１（ｄ））。こうして、最下段の法面を保護する為に使用した受圧板３、押さえ板６、ナット７が回収される。
【００１５】
ついで、その上の段の法面の受圧板３を撤去し、同様に土盛りおよび保護壁の建設を行う。このように、受圧板３を撤去した法面が崩れることがないような所定幅に区切って、段階的に受圧板３を撤去していく。この作業を法面の最上部まで繰り返すことによって、全ての受圧板３を回収するとともに、斜面全体に保護壁を築くことができる（図１（ｅ））。
【００１６】
以上、保護壁が完成したときに、法面の補強に使用した資材の主要なものは回収され、別の工事のために再利用することができる。斜面の内部は一体に形成されて、水の浸透を妨げるような内層ができない。したがって、斜面は強固であり、崩壊しにくいものである。なお、ボルト５およびセメントでできたアンカーは保護壁の内部に残るが、これは斜面を強化するのに有用な作用をする。
【実施例１】
【００１７】
次に、この発明の法面処理工法の実施例について説明する。これは、山の斜面にコンクリート類による擁壁を建造する工事の場合の例である。斜面の土質は土砂から軟岩であり、傾斜角は６０〜６５°程度である。法面の横幅は５０ｍ程度、高さ（法長）は５．０ｍ程度である。
【００１８】
使用した受圧板は１ｍ×１ｍ程度の広さのもので、ポリエステルを素材とする格子状の板である。斜面に沿って、１．５ｍ程度の高さに分けて施工した。受圧板は１．０ｍ程度の間隔で法面に取り付けていった。ボルトは３．０ｍ程度地中に打ち込み、その周囲にセメントミルクを注入してアンカーを形成した。
【００１９】
また、受圧板の撤去は、１．０ｍ程度の高さ（法長）分ずつに分けて行った。
【産業上の利用可能性】
【００２０】
この発明は、山の斜面に道路や様々な建造物を設けるときなどの法面処理として、広く利用できるものである。資材を有効に再利用し、しかも簡易な設備で容易に実施できる法面処理工法として利用できるものである。
【図面の簡単な説明】
【００２１】
【図１】この発明の法面処理工法の概要を示す説明図である。
【図２】受圧板の例を示す平面図である。
【図３】受圧板の取り付け方法を示す断面図である。
【符号の説明】
【００２２】
１．斜面
２．法面
３．受圧板
４．穴
５．ボルト
６．押さえ板
７．ナット
【図１】
2006063729.tif 000003
【図２】
2006063729.tif 000004
【図３】
2006063729.tif 000005